(57)【要約】【課題】サーバから、単一方向ネットワークまたは双方向ネットワークを介する無線通信により端末にアクセス可能なマルチメディアコンテンツで情報を供給するサービスガイドのフラグメント化方法を提供する。【解決手段】本発明によれば、この方法は、  端末（１０２）から送信されるサービスガイド要求を分析するステップ（１１８）と、  この分析に応じてコンサルテーション頻度ルールを決定するステップ（１２０）と、  これらのコンサルテーション頻度ルールを用いて、サービスガイドをフラグメント化するステップ（１２２）とを含むことを特徴とする。【選択図】図１
2008022550.tif 000002
【特許請求の範囲】
【請求項１】
サーバ（１００）から、単一方向ネットワーク（１０１）または双方向ネットワーク（１０７）を介する無線通信により端末（１０２）にアクセス可能なマルチメディアコンテンツで情報を供給するサービスガイドのフラグメント化方法であって、
端末（１０２）から送信されるサービスガイド要求を分析するステップ（１１８）と、
該分析に応じてコンサルテーション頻度ルールを決定するステップ（１２０）と、
該コンサルテーション頻度ルールを用いて、サービスガイドをフラグメント化するステップ（１２２）とを含むことを特徴とする、フラグメント化方法。
【請求項２】
サーバ（１００）において、サービスガイドのフラグメントに単一方向または双方向の無線通信モードを結合するステップを含む、請求項１に記載の方法。
【請求項３】
異なる無線通信モードに応じて送信されるサービスガイドの２個のフラグメントを結合するステップを含む、請求項２に記載の方法。
【請求項４】
コンサルテーション頻度ルールを用いる前に、所定のルールに従ってサービスガイドをフラグメント化するステップを含む、請求項２または３に記載の方法。
【請求項５】
単一方向ネットワークを介してサーバから端末にサービスガイドの第１のフラグメントを送信するステップを含む、請求項１から４のいずれか一項に記載の方法。
【請求項６】
第１のフラグメントと同じサービスガイドからの第２のフラグメントを、双方向ネットワークを介してサーバから端末に送信するステップを含む、請求項５に記載の方法。
【請求項７】
サービスガイドのフラグメントを端末（１０２）に記憶するために、端末（１０２）によって受信されたサービスガイドをフラグメント化するステップを含む、請求項１から６のいずれか一項に記載の方法。
【請求項８】
無線通信によりアクセス可能なマルチメディアコンテンツで情報を供給するサービスガイドの単一方向ネットワーク（１０１）または双方向ネットワーク（１０７）を介した伝送を制御可能な無線通信サーバ（１００）であって、サービスガイドのコンサルテーション頻度ルールに応じて、サービスガイドをフラグメント化するためのフラグメント化器（１２２）を含むことを特徴とする、無線通信サーバ（１００）。
【請求項９】
コンサルテーション頻度ルールを決定するために、サーバ（１００）によって受信されたサービスガイド要求を分析する分析器（１１８）を含む、請求項８に記載のサーバ（１００）。
【請求項１０】
単一方向または双方向の無線通信モードをサービスガイドのフラグメントに結合する手段を含む、請求項８または９に記載のサーバ（１００）。
【請求項１１】
異なる無線通信モードで送信されるサービスガイドの２個のフラグメントを結合する手段を含む、請求項１０に記載のサーバ（１００）。
【請求項１２】
双方向モードまたは単一方向モードでサービスガイドのフラグメントを送信する無線通信手段を含む、請求項８から１１のいずれか一項に記載のサーバ（１００）。
【請求項１３】
コンサルテーション頻度ルールによるフラグメント化の前に、所定のルール（１１６）に従ってサービスガイドをフラグメント化する手段を含む、請求項８から１２のいずれか一項に記載のサーバ（１００）。
【請求項１４】
無線通信によりアクセス可能なマルチメディアコンテンツで情報を供給するサービスガイドを、単一方向のネットワーク（１０１）または双方向のネットワーク（１０７）を介して受信可能な無線通信端末（１０２）であって、サービスガイド要求を分析することにより、サービスガイドのコンサルテーション頻度に基づくルールを決定する手段（１３２）と、コンサルテーション頻度ルールに応じて、サービスガイドをフラグメント化する手段とを含むことを特徴とする、無線通信端末。
【請求項１５】
サービスガイドのフラグメントを端末に記憶する手段（１３２）を含み、該フラグメントが、コンサルテーション頻度ルールに応じて選択される、請求項１４に記載の端末。
【請求項１６】
端末（１０２）とサーバ（１００）とを含む無線通信システムであって、サーバ（１００）が、無線通信により端末にアクセス可能なマルチメディアコンテンツで情報を供給するサービスガイドの、単一方向ネットワーク（１０１）または双方向ネットワーク（１０７）を介した伝送を制御可能であり、無線通信システムが、端末によるサービスガイドのコンサルテーション頻度に基づくルールを決定する手段と、コンサルテーション頻度ルールに応じて、サービスガイドをフラグメント化する手段とを含むことを特徴とする、無線通信システム。
【発明の詳細な説明】
【技術分野】
【０００１】
本発明は、サービスガイドのフラグメント化方法、ならびに無線通信ネットワークで使用するサーバおよび端末に関する。
【背景技術】
【０００２】
単一方向の放送モードでのサーバと端末との間の無線通信において、サーバは、その無線放送領域に配置される全ての端末全体に無線信号を送信する。この放送モードは、たとえば、ＤＭＢ（Ｄｉｇｉｔａｌ  Ｍｕｌｔｉｍｅｄｉａ  Ｂｒｏａｄｃａｓｔ）プロトコル、ＤＶＢ−Ｈ（Ｄｉｇｉｔａｌ  Ｖｉｄｅｏ  Ｂｒｏａｄｃａｓｔ−Ｈａｎｄｈｅｌｄ）プロトコル、およびＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ））プロトコルで使用される。
【０００３】
サーバと端末との間の無線通信において、双方向ポイントツーポイントモードまたはユニキャストモードで、サーバは、ある端末だけを目的とする情報を送信する。この場合、無線通信は、二方向であり、端末も、サーバに対して送信する。この例は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）プロトコルまたはＷＩＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）プロトコルを利用する無線通信である。
【０００４】
双方向または単一方向の無線通信で、１個のサーバは、次のような２つのタイプの情報を送信可能である。
【０００５】
第１のタイプの情報は、たとえば画像、音響、ビデオクリップ、ソフトウェア、スクリプトまたはテキストを含む、マルチメディアコンテンツである。
【０００６】
第２のタイプの情報は、マルチメディアコンテンツの編成、プレゼンテーション、またはアクセスに関する。この第２のタイプの情報は、サービスガイドに含まれる。例えば、このようなサービスガイドは、従来技術では、同様に電子サービスガイド（ＥＳＧ）とも呼ばれており、Ｏｐｅｎ  Ｍｏｂｉｌｅ  Ａｌｌｉａｎｃｅ規格案「Ｓｅｒｖｉｃｅ  Ｇｕｉｄｅ  ｆｏｒ  Ｍｏｂｉｌｅ  Ｂｒｏａｄｃａｓｔ  Ｓｅｒｖｉｃｅｓ」（ｄｒａｆｔ  ｖｅｒｓｉｏｎ  １．０  ２００６年２月１５日、ＯＭＡ−ＴＳ−ＢＣａｓｔ＿Ｓｅｒｖｉｃｅ  Ｇｕｉｄｅ−Ｖ１＿０＿０−２００６０２１５−Ｄ）に記載されている。
【０００７】
サービスガイドは、サーバから移動端末への無線通信によるビデオプログラム放送の送信を提供することを考慮して、予定された送信時間、（例えば、テキスト、画像、低品質のビデオクリップまたはプログラムを含む）説明、およびどのようにそれらを購入するかなど、プログラムについての情報を端末に提供する。
【０００８】
サービスガイドは、また、プログラムのいわゆるハイレベルの説明を提供可能であり、この説明は、一般に、そのタイトル、制作年、そのタイプ、制作者、主な俳優、および要約を含む。
【０００９】
サービスガイドが、放送されると、サーバが送信するのに必要な大量のデータが、この無線放送の帯域幅に固有のビットレートの制限に直面する。このため、サービスガイドの単一方向の送信は、カルーセル送信として知られている、ループにされたサービスガイドの送信を用いる。
【００１０】
このような送信方法は、端末のユーザに対して、所定のサービスガイドを決定したときから、サーバがこのサービスガイドを送信されるときまで、待たなければならないという不都合を有する。
【００１１】
また、ポイントツーポイント（ｕｎｉｃａｓｔ）無線通信の間に、端末が、このようなサービスガイドを供給可能なサーバへそのガイドの送信を要求する時に、サービスガイドを送信することが従来技術で知られている。
【００１２】
その場合、こうした双方向モードでは、単一方向モードと同様に、端末でサービスガイドを記憶する必要性の問題が生じる。何故なら、サービスガイドが端末のメモリに記憶されるなら、ユーザは、サービスガイドにより速くアクセスすることができるからである。ところで、こうしたメモリ記憶は、サービスガイドのサイズが大きければ大きいほど問題となる。
【特許文献１】国際公開第００／２７１２２号パンフレット
【特許文献２】欧州特許出願公開第１２１３９１８号明細書
【発明の開示】
【発明が解決しようとする課題】
【００１３】
本発明は、上記の問題の一つ以上を解決することをめざしている。本発明は、本発明に固有の観察、すなわち、異なる情報を含むサービスガイドをフラグメント化可能である観察の結果として得られたものである。たとえば、テキストとビデオクリップとを含むサービスガイドは、一方がテキストを含み、他方がビデオクリップを含む、サービスガイドの２個のフラグメントにフラグメント化可能である。
【課題を解決するための手段】
【００１４】
そのため、本発明は、サーバから、単一方向ネットワークまたは双方向ネットワークを介する無線通信により端末にアクセス可能なマルチメディアコンテンツで情報を供給するサービスガイドのフラグメント化方法を提供し、この方法は、
端末から送信されるサービスガイド要求を分析するステップと、
この分析に応じてコンサルテーション頻度ルールを決定するステップと、
これらのコンサルテーション頻度ルールを用いて、サービスガイドをフラグメント化するステップとを含むことを特徴とする。
【００１５】
このような発明によって、サービスガイドを送信するサーバでも、あるいはサービスガイドを受信する端末でも、ソフトウェアコンポーネンツおよび／またはハードウェアコンポーネンツを使用して、サービスガイドを自動的にフラグメント化する。
【００１６】
フラグメント化は、サービスガイドに含まれる情報に対して、考慮された端末のユーザの興味を示すコンサルテーション頻度ルールに応じて行われる。したがって、本発明は、一人（または複数）のユーザにとってますます興味のある情報の識別、およびサービスガイドのフラグメントを介して、これらの情報に対するアクセスの個人化を提供する。
【００１７】
サーバでフラグメント化が実施される場合、この方法は、サービスガイドのフラグメントに、単一方向または双方向の無線通信モードを結合するステップを含むことができる。
【００１８】
したがって、サービスガイドのフラグメント化により、サイズが大きすぎるサービスガイド、あるいは必要度が少ないサービスガイドを、単一方向モードで放送しないようにすることができる。
【００１９】
この場合、放送サービスガイドにアクセスするために必要な遅延が短縮される。何故なら、ユーザによってあまり頻繁にはコンサルテーションされない大きなフラグメントを、双方向モードに割り当てることによって、カルーセル方法によって送信される情報量が低減されるからである。
【００２０】
最終的に、サービスガイドへのアクセスを加速しかつ個人化することによって、本発明による方法は、マルチメディアコンテンツの放送を、よりユーザフレンドリにかつ魅力的なものにして、それによって、ユーザによるこれらのコンテンツの利用を増やすものである。
【００２１】
一実施形態では、２つの異なる無線通信モードで送信されるサービスガイドの２個のフラグメントが組み合わされる。したがって、２つの異なる無線通信モードでこれらの２個のフラグメントを受信する端末は、これらを容易に結合することができる。
【００２２】
一実施形態によれば、サーバは、単一方向ネットワークを介して端末にサービスガイドの第１のフラグメントを送信し、このフラグメントは、サービスガイドの全体を放送することに比べて、サーバへの結果としての負荷を制限する。
【００２３】
この場合、一実施形態によれば、サーバは、第１のフラグメントと同じサービスガイドの第２のフラグメントを、双方向ネットワークを介して端末に送信する。したがって、この第２のフラグメントは、たとえば、端末が、双方向ネットワークを介してこの作用の要求を送信する場合のみ送信される。
【００２４】
一実施形態では、コンサルテーション頻度ルールを実施する前に、所定のルールに従ってサービスガイドをフラグメント化する。たとえば、サービスガイドの送信を管理するためのこれら所定のルールは、無線通信ネットワークのオペレータによって決定され得る。
【００２５】
フラグメント化が端末で実施される場合、端末は、サービスガイドのフラグメントを記憶するために、受信したサービスガイドをフラグメント化することができる。このようにして、端末のメモリの使用を最適化可能であり、記憶されたフラグメントへのアクセスをすばやく行うことができる。
【００２６】
本発明は、また、無線通信によりアクセス可能なマルチメディアコンテンツで情報を供給するサービスガイドの、単一方向ネットワークまたは双方向ネットワークを介した送信を制御可能な無線通信サーバに関し、このサーバは、これらのサービスガイドのコンサルテーション頻度ルールに応じて、サービスガイドをフラグメント化するためのフラグメント化器を含むことを特徴とする。
【００２７】
一実施形態では、サーバが、コンサルテーション頻度ルールを決定するために、サーバによって受信されたサービスガイド要求を分析する分析器を含む。
【００２８】
一実施形態では、サーバは、単一方向または双方向の無線通信モードをサービスガイドのフラグメントに結合する手段を含む。
【００２９】
一実施形態では、サーバは、異なる無線通信モードで送信されるサービスガイドの２個のフラグメントを結合する手段を含む。
【００３０】
一実施形態では、サーバは、双方向モードまたは単一方向モードでサービスガイドのフラグメントを無線通信により伝送する手段を含む。
【００３１】
一実施形態では、サーバは、コンサルテーション頻度ルールによるフラグメント化の前に、所定のルールに従ってサービスガイドをフラグメント化する手段を含む。
【００３２】
本発明は、また、無線通信により端末にアクセス可能なマルチメディアコンテンツで情報を供給するサービスガイドを、単一方向のネットワークまたは双方向のネットワークを介して受信可能な無線通信端末を提供し、端末のサービスガイド要求を分析することによりサービスガイドのコンサルテーション頻度に基づくルールを決定する手段と、これらのコンサルテーション頻度ルールに応じて、サービスガイドをフラグメント化する手段とを含むことを特徴とする。
【００３３】
一実施形態では、端末は、サービスガイドのフラグメントを記憶する手段を含み、このフラグメントが、コンサルテーション頻度ルールに応じて選択される。
【００３４】
最後に、本発明は、また、端末とサーバとを含む無線通信システムを提供し、サーバが、無線通信により端末にアクセス可能なマルチメディアコンテンツで情報を供給するサービスガイドの、単一方向ネットワークまたは双方向ネットワークを介した伝送を制御可能であり、このシステムは、これらのサービスガイドに対する端末によるコンサルテーション頻度に基づくルールを決定する手段と、これらのコンサルテーション頻度ルールに応じて、サービスガイドをフラグメント化する手段とを含むことを特徴とする。
【００３５】
本発明の他の特徴および長所は、本発明による方法を実施する無線通信ネットワークを示した以下の唯一の添付図面を参照しながら、この発明の実施形態を限定的ではなく例として示す下記の説明を読めば明らかになるであろう。
【発明を実施するための最良の形態】
【００３６】
本出願の唯一の添付図面を用いて以下に説明する方法は、サーバ１００と、マルチメディアコンテンツを放送するためにＤＶＢ−Ｈプロトコルを用いる各無線通信ネットワーク１０７、１０９のセル１０３または１０５にそれぞれ配置された、端末１０２、１０４との間の無線通信を示す。
【００３７】
サーバ１００は、端末１０２に対しては放送１０６を送信し、あるいは端末１０４に対しては放送１０８を送信し、放送コンテンツは、考慮されたセル１０３または１０５に応じて異なるものとすることができる。
【００３８】
さらに、サーバ１００は、また、ポイントツーポイント送信モードを使用して、ＵＭＴＳネットワーク等の双方向ネットワーク１０１にもある端末１０２へ送信できる。
【００３９】
その場合、端末１０２は、単一方向の放送モード、および／または双方向のポイントツーポイントモードで、サーバ１００からマルチメディアコンテンツに関するサービスガイドを受信できる。
【００４０】
本発明によれば、サーバ１００および端末１０２は、端末によるサービスガイドのコンサルテーション頻度に基づくルールを決定する手段と、これらコンサルテーション頻度ルールに応じてサービスガイドをフラグメント化する手段とを含む。各手段については後で詳しく説明する。
【００４１】
したがって、サービスガイドが、マルチメディアコンテンツに関する異なる情報に関する複数個のフラグメントから構成される場合、このサービスガイドは、端末１０２によるこの情報へのアクセスに関する記憶された情報に応じて、サーバ１００または端末１０２でフラグメント化可能である。
【００４２】
この段階で留意すべきであるのは、本発明の上記の説明で、サーバ１００および端末１０２におけるサービスガイドのフラグメント化手段を参照するが、当然のことながら、これらの手段を独立して実施され得る点である。
【００４３】
サービスガイドは、以下のような各ステップでサーバ１００においてフラグメント化される。
【００４４】
第１のステップでは、マルチメディアコンテンツに関する情報が、サービスプロバイダ１１０によりサービスガイドにともにまとめられる（１１２）。
【００４５】
次に、これらのサービスガイドが、サービスガイドのフラグメント化器１２２に送信され、フラグメント化器は、第２のステップで、サービスガイドを様々なフラグメントにフラグメント化できる。このようにして得られるフラグメントは、無線通信モード等の様々なパラメータ、すなわち、より詳しくは、ＤＶＢ−Ｈ放送ネットワークまたはＵＭＴＳポイントツーポイントネットワークといった特定の無線通信ネットワーク等の様々なパラメータに結合される。
【００４６】
同様に、記述された例のようなセル１０３または１０５等のネットワークの下位要素にガイドを結合することが可能である。
【００４７】
サービスガイドは、無線通信ネットワークのオペレータ１１４により事前に決定されたルール１１６にしたがって自動的にフラグメント化される。そのため、これらの所定のルールは、ガイドの様々な構成要素と、ガイドに対して予め決められた属性または情報との指示とともに記憶され得る。
【００４８】
たとえば、映画制作に関するマルチメディアコンテンツのためのサービスガイドを考慮することができる。このサービスガイドは、情報として、テキストの形を取る要約、画像、広告バナーとしてビデオクリップを含む。
【００４９】
その場合、所定のルール１１６は、放送されるガイドの画像部分とテキスト部分とを提供することができ、一方で、ユーザがビデオクリップを見たい場合は、ポイントツーポイントネットワークによりビデオクリップを要求しなければならない。このようにして、広い帯域幅と、端末における大きい保存容量とを要求するこのガイドは、もはや単一方向のネットワーク１０７を介したサービスガイド放送に対する制約とはならない。
【００５０】
所定のルール１１６は、フラグメント化すべきサービスガイドを識別し、これをフラグメント化可能するために使用される。上記の例では、テキストの形で要約、画像、および広告バナーなどのビデオクリップを含むサービスガイドが、単一方向のネットワーク１０７を介した放送用の、テキストと画像とを含む第１のフラグメントと、双方向ネットワーク１０１を介した送信用の、ビデオクリップを含む第２のフラグメントとにフラグメント化される。
【００５１】
所定のルール１１６は、新たな送信時間等の、オペレータ１１４の新たな要求に適合するように修正可能である。たとえば、送信の提示は、この放送の送信の前日に放送されるガイドで必要となることがある。別の例によれば、オペレータは、ペーパービューサービスガイドなどの、特別なサービスガイドを記述するルールを決定することができる。
【００５２】
サービスガイドのフラグメント化は、また、ガイドに対して端末１０２によって実施されるアクセスの分析またはアクセスの要求から決定される、履歴ルールすなわちコンサルテーション頻度のルール１２０を考慮する。このため、サーバ１００は、ルール１２０を含むデータベースを供給する要求分析器１１８を含む。
【００５３】
このため、オペレータ１１４により決定されるルール１１６の適用後、フラグメント化器１２２は、コンサルテーション頻度ルール１２０を適用する。しかしながら、サービスガイドは、所定のルール１１６またはコンサルテーション頻度ルール１２０の適用後は、フラグメント化される代わりに全体として放送されることに留意しなければならない。
【００５４】
このため、分析器１１８は、コンテンツのタイプおよび名称、またはガイドの名称といった、属性または情報を指示するサービスガイドのモデルを含む。たとえば、ＸＭＬで記載されたガイドに関して、ＸＭＬタグが、この種類のモデルを記述するために使用されることができる。
【００５５】
コンサルテーション頻度ルール１２０を適用後、フラグメント化器１２２は、フラグメント化されるサービスガイドまたは完全なサービスガイドをメモリ１２４に送信し、これらのサービスガイドは、このメモリで、それぞれに使用される双方向無線通信モードまたは単一方向無線通信モードに従って分類される。
【００５６】
その後、メモリ１２４は、これらのサービスガイドまたはサービスガイドのフラグメントを、送信手段１２６に転送する。送信手段は、ネットワーク１０７を介する放送モード、および／またはネットワーク１０１を介するポイントツーポイントモードで送信する。
【００５７】
この例では、特に、端末の地理的な位置、すなわちＤＶＢ−Ｈネットワークのセル１０３にあるいはセル１０５に応じて放送が行われる。このような状況下、送信手段１２６は、サービスガイドの送信またはサービスガイドのフラグメントの送信に対して使用されるネットワークを送信前に識別し、各端末１０２、１０４に対して違った仕方で送信を行わなければならない。
【００５８】
本発明は、同一のマルチメディアコンテンツに関する場合、放送されたサービスガイドまたはサービスガイドのフラグメントを、ポイントツーポイントネットワーク１０１を介して受信したサービスガイドまたはサービスガイドのフラグメントに組み合わせる、サービスガイドエンジン１３０によって、端末１０２、１０４で実施される。
【００５９】
さらに、これらの端末１０２、１０４は、端末のユーザによって頻繁に要求されるサービスガイドを記憶するメモリ１３２を含む。端末で利用可能なメモリよりもサービスガイドのサイズが大きい場合、メモリ１３２は、最も適切な、たとえば最も頻繁にコンサルテーションされるか、あるいは端末の記憶容量を与える最適なサイズを有する、サービスガイドのフラグメントを選択し、それらを利用可能なメモリ空間内で記憶する。
【００６０】
このようにして、このメモリ１３２は、サービスガイドへのアクセスの分析または要求の分析を利用して、サービスガイドをフラグメント化する。換言すれば、このメモリ１３２は、サービスガイドへのこうしたアクセス、またはアクセス要求に対して、端末が設定するコンサルテーション頻度ルールを用いる。
【００６１】
本発明による方法は、たとえば、前述のＯｐｅｎ  Ｍｏｂｉｌｅ  Ａｌｌｉａｎｃｅにおける、２００６年２月１５日付の規格案「Ｓｅｒｖｉｃｅ  Ｇｕｉｄｅ  ｆｏｒ  Ｍｏｂｉｌｅ  Ｂｒｏａｄｃａｓｔ  Ｓｅｒｖｉｃｅｓ」、ｄｒａｆｔ  ｖｅｒｓｉｏｎ  １．０のＯＭＡ−ＴＳ−ＢＣａｓｔ＿ＳｅｒｖｉｃｅＧｕｉｄｅ−Ｖ１＿０＿０−２００６０２１５−Ｄ、または、ＤＶＢ方法等の放送モードまたはポイントツーポイントモードのサービスガイドの無線通信の他のあらゆる方法で、実施可能である。
【００６２】
本発明では、多数の変形例が可能である。そのため、一つの変形例では、端末が、双方向モードで追加のデータの送信を待ちながら、たとえば放送モードで受信した不完全なサービスガイドの表示手段を含んでいる。
【００６３】
別の変形例では、端末のユーザが、端末またはオペレータにより適用されるサービスガイドのフラグメント化ルールをスクリーンに表示することにより、たとえば、このルールを修正することができる。
【図面の簡単な説明】
【００６４】
【図１】本発明の方法が実施される無線通信ネットワークを示す。
【符号の説明】
【００６５】
１００  サーバ
１０１  単一方向のネットワーク
１０２  端末
１０７  双方向のネットワーク
１１４  オペレータ
１１６  所定のルール
１１８  分析器
１２０  コンサルテーション頻度ルール
１２２  フラグメント化器
【図１】
2008022550.tif 000003
【外国語明細書】
2008022550.tif 000004
2008022550.tif 000005
2008022550.tif 000006
2008022550.tif 000007
2008022550.tif 000008
2008022550.tif 000009
2008022550.tif 000010
2008022550.tif 000011
2008022550.tif 000012
2008022550.tif 000013
2008022550.tif 000014
2008022550.tif 000015
2008022550.tif 000016
2008022550.tif 000017
2008022550.tif 000018
2008022550.tif 000019